(57)【要約】      （修正有）【課題】骨盤サポートバンドをズボン使用者の体格、体形等にそれほど影響されずに簡易に人体骨盤周囲を囲繞するように装着できる骨盤サポートバンド付きズボンを提供する。【解決手段】ズボン本体１と、ズボン本体１の内部に配置され、ズボン本体内周部（例えばズボン本体穿き口１１の内周部）に上端部３１’が接続されて吊り下げられ、下端部３２’が自由下端部とされた伸縮性を有する環状の骨盤サポートバンド３’とを有し、ズボン本体１を正規に穿き装着することで、バンド３’を人体の骨盤上端部に対応する人体部位又は該人体部位の直上人体部位に位置させて該人体骨盤周囲に囲繞装着可能である骨盤サポートバンド付きズボンＡ。【選択図】図１
2008223158.tif 000002
【特許請求の範囲】
【請求項１】
人体の下半身に穿いて装着するズボン本体と、該ズボン本体の内部に配置され、上端部が該ズボン本体内周部に接続されて吊り下げられ、下端部が自由下端部とされた伸縮性を有する環状の骨盤サポートバンドとを有し、該ズボン本体内周部に接続された該骨盤サポートバンド上端部のズボン本体上下方向における高さ位置は、該ズボン本体を人体に正規に穿き装着することで該骨盤サポートバンド上端部を該人体の骨盤上端部に対応する人体部位又は該人体部位の直上人体部位に位置させて該骨盤サポートバンドを該人体骨盤周囲に囲繞装着可能な位置であることを特徴とする骨盤サポートバンド付きズボン。
【請求項２】
前記環状の骨盤サポートバンドは該バンド上端部から自由下端部へ向け延びるバンド左右分割部分を含んでおり、該バンド左右分割部分には該骨盤サポートバンド周長を調節して該バンド左右分割部分の左側部分及び右側部分を互いに連結するための連結具が設けられており、該骨盤サポートバンド周長が該連結具により調節された環状状態で前記ズボン本体の人体への穿き装着により該骨盤サポートバンドを該人体の骨盤周囲に囲繞装着可能である請求項１記載の骨盤サポートバンド付きズボン。
【請求項３】
前記骨盤サポートバンドの前記ズボン本体内周部に接続された上端部の下端から該バンドの自由下端へ至る上下方向幅は２ｃｍ〜１５ｃｍである請求項１又は２記載の骨盤サポートバンド付きズボン。
【請求項４】
前記骨盤サポートバンドの上端部は前記ズボン本体の穿き口内周部に接続されており、該ズボン本体穿き口を該骨盤サポートバンド上端部とともに人体の骨盤上端部に対応する人体部位又は該人体部位の直上人体部位に位置させて正規穿き装着状態を得る請求項１、２又は３記載の骨盤サポートバンド付きズボン。
【請求項５】
前記ズボン本体穿き口に該穿き口から上方へ向け連続する伸縮性の筒状帯が接続されている請求項４記載の骨盤サポートバンド付きズボン。
【請求項６】
前記骨盤サポートバンドの上端部は前記ズボン本体の穿き口より下がった内周部に接続されている請求項１、２又は３記載の骨盤サポートバンド付きズボン。
【請求項７】
前記骨盤サポートバンドには貫通通気孔が分散形成されている請求項１から６のいずれかに記載の骨盤サポートバンド付きズボン。
【発明の詳細な説明】
【技術分野】
【０００１】
本発明は、人体の下半身に装着するズボン、特に、骨盤サポートバンドを備えたズボンに関する。
【背景技術】
【０００２】
腰痛に苦しむ、所謂腰痛持ちの人のためのサポータとして、或いは、各種運動や作業（例えば人の介護）等による腰痛の発生を抑制しようとする人のためのサポータとして、人体の骨盤周囲に装着する骨盤サポータが種々開発、提案されてきた。
【０００３】
例えば、実用新案登録第３０９４６４２号公報は、腰部に装着する腰バンドを開示している。
【０００４】
しかしこのような骨盤サポータは、ズボン、スカート等の通常の衣類とは別個のものとして製作され、使用される、構造が大がかりなものであったため、それなりの使用効果が認められるものの、例えば次ような点で使用しずらい面があった。すなわち、
(1) それを装着した上からさらに、ズボン等を穿くと、外見上膨らみが目立っなど、外見上の体裁が悪くなる、
(2) それを装着すると、動きづらくなり、それを装着した上からさらにズボン等を穿くと、さらに動きづらくなる、
(3) 骨盤サポータを装着したうえに、ズボン等を穿かなければならず、それだけ骨盤サポータの装着、使用が面倒である、
等の点から使用しずい面があった。
【０００５】
この点、特許第３７６９５８２号公報には、人体の下半身に穿いて装着するズボン本体と、該ズボン本体の内部に配置され、ズボン本体穿き口に上端部が接続された環状のサポートバンド吊り下げ布部と、該環状サポートバンド吊り下げ布部の下端部に上端部が接続されて吊り下げられ、下端部が自由下端部とされた伸縮性を有する環状の骨盤サポートバンドとを有し、該ズボン本体の人体への穿き装着により該骨盤サポートバンドを該人体の骨盤周囲に囲繰装着可能である骨盤サポートバンド付きズボンが記載されている。
【０００６】
この骨盤サポート付きズボンによると、ズボン本体を穿くことで、骨盤サポートバンドを、外見上目立たないように、簡易に骨盤周囲に囲続装着して使用できる。
【０００７】
【特許文献１】実用新案登録第３０９４６４２号公報
【特許文献２】特許第３７６９５８２号公報
【発明の開示】
【発明が解決しようとする課題】
【０００８】
このように特許第３７６９５８２号公報に記載された骨盤サポートバンド付きズボンはそれなりの利点があるが、ズボン使用者の体格、体形等にそれほど影響されずに、一層簡易に骨盤サポートバンドを人体へ装着できるよう工夫されることが望ましい。
【０００９】
また、骨盤サポートバンド付きズボンでは、環状骨盤サポートバンドによる骨盤の締めつけ力を調整したり、環状骨盤サポートバンドの周長を使用者の体格にあわせて調節することができれば、かかる骨盤サポート付きズボンは一層便利で使い易いものになる。
【００１０】
そこで本発明は、骨盤サポートバンドをズボン使用者の体格、体形等にそれほど影響されずに簡易に人体骨盤周囲を囲繞するように装着できる骨盤サポートバンド付きズボンを提供することを第１の課題とする。
【００１１】
また本発明はかかる第１の課題を解決できるとともに、骨盤サポートバンドによる使用者骨盤の締め付け力調整や使用者の体格に応じた骨盤サポートバンド周長の調整を行うことができ、それだけ使用し易い骨盤サポートバンド付きズボンを提供することを第２の課題とする。
【課題を解決するための手段】
【００１２】
本発明は前記第１の課題を解決するため、次の第１のズボンを提供する。
（第１のズボン）
人体の下半身に穿いて装着するズボン本体と、該ズボン本体の内部に配置され、上端部が該ズボン本体内周部に接続されて吊り下げられ、下端部が自由下端部とされた伸縮性を有する環状の骨盤サポートバンドとを有し、該ズボン本体内周部に接続された該骨盤サポートバンド上端部のズボン本体上下方向における高さ位置は、該ズボン本体を人体に正規に穿き装着することで該骨盤サポートバンド上端部を該人体の骨盤上端部に対応する人体部位又は該人体部位の直上人体部位に位置させて該骨盤サポートバンドを該人体骨盤周囲に囲繞装着可能な位置である骨盤サポートバンド付きズボン。
【００１３】
本発明は前記第２の課題を解決するため、次の第２のズボンを提供する。
（第２のズボン）
上記第１のズボンにおいて、前記環状の骨盤サポートバンドは該バンド上端部から自由下端部へ向け延びるバンド左右分割部分を含んでおり、該バンド左右分割部分には該骨盤サポートバンド周長を調節して該バンド左右分割部分の左側部分及び右側部分を互いに連結するための連結具が設けられており、該骨盤サポートバンド周長が該連結具により調節された環状状態で前記ズボン本体の人体への穿き装着により該骨盤サポートバンドを該人体の骨盤周囲に囲繞装着可能である骨盤サポートバンド付きズボン。
【００１４】
前記第１、第２の各ズボンでは、それに設けられている骨盤サポートバンドは、ズボン本体内側に配置され、上端部がズボン本体の内周部に接続されてズボン本体内側で安定的に吊り下げられているので、人体に容易に装着できる。そして、ズボン本体を正規に穿き装着することで、該骨盤サポートバンド上端部を人体の骨盤上端部に対応する人体部位又は該人体部位の直上人体部位（骨盤上端部に対応する人体部位に続く該部位の直ぐ上の部位）に位置させて、該骨盤サポートバンドで該人体骨盤周囲を囲繞できる。
【００１５】
ここで「ズボン本体の正規の穿き装着」とは、そのズボン本体に応じた普通の穿き装着状態であり、そのズボン本体からすれば、普通に穿いたときの状態よりかなり下げて穿いている状態とか、かなり上へ引き上げて穿いている状態とかは除かれる。
【００１６】
このように第１、第２の各ズボンによると、ズボン使用者は、ズボン本体を、正規に（そのズボン本体としては普通に）穿き装着することで、該ズボン本体内周部に上端部が接続された環状骨盤サポートバンドの該上端部を自身の骨盤上端部に対応する部位又は該部位の直上部位に位置させて、該骨盤サポートバンドを自身の骨盤周囲に簡易に囲繞装着でき、該骨盤サポートバンドをズボン使用者の体格、体形等にそれほど影響されずに簡易に骨盤周囲に装着でき、それだけ使い易い。
【００１７】
また、骨盤サポートバンドの装着は、従来の大がかりな構造の腰部サポータ等と比べると、外見上目立たないように、外見体裁よく装着使用でき、また、それほど動きづらさを招くことなく装着使用できる。
【００１８】
前記第２のズボンによると、前記環状の骨盤サポートバンドは該バンド上端部から自由下端部へ向け延びるバンド左右分割部分を含んでおり、該バンド左右分割部分には該骨盤サポートバンド周長を調節して該バンド左右分割部分の左側部分及び右側部分を互いに連結するための連結具が設けられており、該骨盤サポートバンド周長が該連結具により調節された環状状態で前記ズボン本体の人体への穿き装着により該骨盤サポートバンドを該人体の骨盤周囲に囲繞装着できる。
【００１９】
従って、骨盤サポートバンドの左右分割部分に設けられた前記連結具により該バンドの周長を骨盤締めつけ力の調整のためや、使用者の体格にあわせて調節し、そのように周長が調節された環状状態でズボン本体の人体への穿き装着により該骨盤サポートバンドを該人体の骨盤周囲に所望の状態で囲繞装着することができる。
【００２０】
このように本発明の第２のズボンは、骨盤サポートバンドによる使用者骨盤の締め付け力調整や使用者の体格に応じた骨盤サポートバンド周長の調整を行うことができ、それにより、一層便利で使い易いものとなっている。
【００２１】
なお、ここで「バンド左右分割部分」、「バンド左右分割部分の左側部分」、「バンド左右分割部分の右側部分」における「左」、「右」は、該バンド分割部分をズボンの外側から見たときの左、右を指している。
【００２２】
前記第１、第２のいずれのズボンについても、前記骨盤サポートバンドのズボン内周部に接続された上端部の下端から該バンドの自由下端へ至る上下方向幅（上下方向長さ）は、ズボン本体を普通に穿いて、該骨盤サポートバンドの上端部を骨盤上端部対応人体部位又は該人体部位の直上人体部位に位置させたとき、該骨盤サポートバンドが骨盤周囲を囲繞できるように、例えば２ｃｍ〜１５ｃｍの範囲のものとすることができる。
【００２３】
２ｃｍより短くなってくると、骨盤サポートバンドの効果が弱くなってくる。１５ｃｍより長くなってくると、ズボン装着者の歩行等の動作の妨げとなってくるおそれがある。また、バンドを構成している生地等によっては捲くれ上がってくるおそれもある。
骨盤サポートバンドのズボン内周部に接続された上端部の下端から該バンドの自由下端へ至る上下方向幅（上下方向長さ）のより好ましい範囲として５ｃｍ〜１５ｃｍを挙げることができる。
【００２４】
前記骨盤サポートバンド上端部のズボン本体への接続位置に関して言えば、本発明に係るズボンの例として、前記骨盤サポートバンドの上端部が前記ズボン本体の穿き口内周部に接続されており、該ズボン本体穿き口を該骨盤サポートバンド上端部とともに人体の骨盤上端部に対応する人体部位又は該人体部位の直上人体部位に位置させて正規穿き装着状態を得る骨盤サポートバンド付きズボンを挙げることができる。
【００２５】
このズボンの場合、ズボン着用者がズボン本体より上側に着用する衣類の丈等によっては背や腹の一部が露出することもあり得る。そこで、そのような露出を避けるため、或いは着用したときの見栄えをよくする等のために、前記ズボン本体穿き口に該穿き口から上方へ向け連続する伸縮性の筒状帯（人体を囲繞する筒状帯）が接続されていてもよい。
【００２６】
また、本発明に係るズボンの例として、前記骨盤サポートバンドの上端部が前記ズボン本体の穿き口より下がった内周部に接続されている骨盤サポートバンド付きズボンも例示できる。
【００２７】
いずれにしても、前記骨盤サポートバンドは該バンドのズボン本体内での位置決めのために紐でズボン本体に連結してもよい。
また、発汗時のムレを防止或いは抑制し易いように、前記骨盤サポートバンドには貫通通気孔が分散形成されていてもよい。
【００２８】
本発明に係るズボンは、例えば、スーツ用ズボン、通勤、通学等に穿く一般的なズボン、各種運動用ズボン、各種作業用ズボン等の各種の長ズボン又は短ズボン等のいずれであってもよい。さらには、運動等に使用するスパッツのようなものであってもよい。
本発明に係る骨盤サポートバンド付きズボンは洗濯して再使用することも可能である。
【発明の効果】
【００２９】
以上説明したように本発明によると、骨盤サポートバンドをズボン使用者の体格、体形等にそれほど影響されずに簡易に人体骨盤周囲を囲繞するように装着できる骨盤サポートバンド付きズボンを提供することができる。
【００３０】
また本発明によると、かかる利点を有し、さらに、骨盤サポートバンドによる使用者骨盤の締め付け力調整や使用者の体格に応じた骨盤サポートバンド周長の調整を行うことができ、それだけ使用し易い骨盤サポートバンド付きズボンを提供することができる。
【発明を実施するための最良の形態】
【００３１】
以下本発明の実施形態について図面を参照して説明する。
図１は本発明に係るズボンの１例である、様々の用途に使える長ズボンＡの外観正面図である。図２は、該ズボンを裏返した状態のズボン正面側の図であり、図３は該ズボンの使用状態を示す図である。
【００３２】
図示のズボンＡは、ズボン本体１が比較的柔軟なズボン材料から形成されており、外出衣、各種運動、病人や老人の介護作業等の各種作業などに適するものである。
【００３３】
このズボンＡは、ズボン本体１、ズボン本体内部に配置されてズボン本体１の内周部に接続された骨盤サポートバンド３’及びズボン本体１に接続されて上方へ延びる筒状帯２を含むものである。ズボンＡはそのズボン本体穿き口１１をズボン着用者の骨盤上端部に対応する部位或いはその部位の直上部位に位置させて穿いた状態が正規の（普通の）穿き装着状態であるズボンである。
【００３４】
骨盤サポートバンド３’は、環状を呈しており、伸縮性を有するバンドであり、本例では、ゴム紐に糸を巻き付けた伸縮性紐を編成して形成したものである。なお、バンド３’や後述するバンド３は伸縮性のあるメッシュ状の生地や、伸縮性のあるネット或いは網状の生地等により形成されてもよい。骨盤サポートバンド３’は、上端部３１’がズボン本体穿き口１１の内周部位に縫着にて接続されて吊り下げられており、下端部３２’は自由下端部とされている。このように骨盤サポートバンド３’はその上端部３１’がズボン本体穿き口１１に直接接続されている。骨盤サポートバンド３’にはバンド表裏面に貫通する通気孔３０’を多数分散形成してある。
【００３５】
骨盤サポートバンド３’の上端部３１’の周方向長さ（周長）はズボン本体穿き口１１の周長に合わせてある。
また、骨盤サポートバンド３’の左右部分は該バンドのズボン本体１内での位置決めのために紐３５’でズボン本体１に連結してある。
【００３６】
ズボン本体穿き口１１にはバンド代わりに伸縮性部材を逢着したり、絞り紐を通しておくなどしてもよいが、ここでは，骨盤サポートバンド３’のズボン本体穿き口１１に縫着された上端部３１’がそのような伸縮性部材を兼ねている。
【００３７】
骨盤サポートバンド３’のズボン穿き口１１に接続された上端部３１’の下端からバンド３’の自由下端へ至る上下方向幅（上下方向長さ）ｈとしては、例えば２ｃｍ〜１５ｃｍ程度、より好ましくは５ｃｍ〜１５ｃｍ程度を挙げることができるが、本例では略９．５ｃｍ〜１０ｃｍ程度である。
【００３８】
このような寸法範囲に設定されることで、図３に示すように、ズボン使用者Ｂが、ズボン本体１を正規に（普通に）穿き装着し、穿き口１１及びバンド上端部３１’を自身の骨盤の上端部対応部分又は該部分の直上部分に位置させることで、骨盤サポートバンド３’を使用者Ｂの骨盤周囲に囲繞装着できる。
【００３９】
筒状帯２は伸縮性の布地で形成されており、ズボン本体１を装着したズボン使用者Ｂの該ズボン本体１より上側に出た部位を囲繞することができるものである。本例の筒状帯２は、使用者Ｂの略肋骨下部に対応する部分まで延び上がり、囲繞することができる。
【００４０】
以上説明したズボンＡは、その使用者Ｂが両脚を筒状帯２へ入れ、さらにズボン本体穿き口１１へ入れて該ズボン本体１を穿くとともに該ズボン本体１より上側に出た身体部分を筒状帯２で囲繞することができる。
【００４１】
このように使用者Ｂがズボン本体１を正規に穿き装着することで、骨盤サポートバンド３’の、ズボン穿き口１１内周部に縫着された上端部３１’を使用者自身の骨盤の上端部対応部分又は該部分の直上部分に位置させて、該骨盤サポートバンド３’を自身の骨盤周囲に簡易に囲繞装着できる。
【００４２】
このようにズボンＡによると、ズボン本体１を、その穿き口１１が使用者Ｂの骨盤上端部に対応する部位又は該部位の直上部位に位置するように穿くだけで、簡易に骨盤サポートバンド３’を使用者Ｂの骨盤周囲に囲繞装着することができ、ズボン使用者の体格、体形等にそれほど影響されずに簡易に装着でき、それだけ使い易い。
【００４３】
また、骨盤サポートバンド３’の装着は、従来の大がかりな構造の腰部サポータ等と比べると、外見上目立たないように、外見体裁よく装着使用でき、また、それほど動きづらさを招くことなく装着使用できる。
【００４４】
次に本発明に係る骨盤サポートバンド付きズボンの他の例Ａ１について図４〜図９を参照して説明する。図４は骨盤サポートバンド付きズボンＡ１の外観正面図であり、図５は図４に示すズボンを裏返した状態のズボン正面側の図である。
ズボンＡ１は先に説明したズボンＡにおいて骨盤サポートバンド３’を環状の骨盤サポートバンド３に代えたものである。骨盤サポートバンド３にはバンド表裏面に貫通する通気孔３０を多数分散形成してある。
【００４５】
このズボンＡ１の骨盤サポートバンド３は基本的には環状に形成されているが、このズボンＡ１においては次のようにして骨盤サポートバンド３の周長を調整できるようにしてある。
【００４６】
これにつき、以下図６、図７等を参照して説明する。図６はズボンＡ１の上部を拡大して、且つ、ズボン本体１の前側ａ１を一部切欠して示す図である。図７は図６と同様の図であるが、後述するバンド左右分割部分３６における左側部分３６１の端部を捲って示す図である。
【００４７】
図６、図７等に示すように、骨盤サポートバンド３は、その周長方向における一部（本例ではズボン本体１の前側ａ１に隣り合う前側部分）において、上端部３１から自由下端部３２へ向け延びるバンド左右分割部分３６を含んでいる。
【００４８】
バンド左右分割部分３６には骨盤サポートバンド３の周長を調節して該バンド左右分割部分の左側部分３６１及び右側部分３６２を互いに連結するための連結具が設けられている。
【００４９】
該連結具は、図６、図７から分かるように、バンド左右分割部分３６の左側部分３６１端部の内面に逢着された一本のフック支持部３３と、バンド左右分割部分３６の右側部分３６２の端部とそれに続く部分の外面（ズボン本体前側部分ａ１の内面に対向する面）に逢着された３本のリング支持部３４１、３４２、３４３を含んでいる。リング支持部３４１、３４２、３４３は所定の間隔をおいて逢着されている。バンド３の、該フック支持部、リング支持部を設けた部分についてはズボン本体穿き口には逢着していない。
【００５０】
フック支持部３３には複数本のフックｆが逢着されている。リング支持部３４１、３４２、３４３のそれぞれにはフックｆの数と同数のリングｒが該フックに対応する高さ位置に逢着されている。
【００５１】
フック支持部３３のフックｆはリング支持部３４１、３４２、３４３のうちいずれのリングｒにも脱離可能に係合することができる。
図４、図５、図６にはフック支持部３３のフックｆを一番端にあるリング支持部３４１のリングｒに係合させた状態が示されている。
図８はズボン本体１の前側ａ１及び後ろ側（背部側）ａ２、骨盤サポートバンド３、それに設けられたフック支持部３３、リング支持部３４１、３４２、３４３、フックｆ、リングｒ等相互の位置関係を概略的に示している。なお、図８に示すように、バンド３の後部は紐３５でズボン本体に連結されている。
【００５２】
図４、図５、図６に示される連結状態のとき、環状骨盤サポートバンド３の周長が一番長いものとなる。また、この状態において、ズボン本体穿き口１１の周長は環状骨盤サポートバンド３の周長に実質上一致している。
さらに図４、図５、図６に示される連結状態のとき、バンド左右分割部分３６の左側部分３６１の端部と右側部分３６２の端部とは相互に僅かに重なり配置される。
【００５３】
フックｆをリング支持部３４２或いは３４３のリングｒに係合させて、より周長の短い環状骨盤サポートバンド３を設定することもできる。
【００５４】
以上説明した骨盤サポートバンド付きズボンＡ１によると、使用者Ｂは骨盤サポートバンド３におけるフック支持部３３とリング支持部３４１、３４２又は３４３とで予め所望周長の環状とした骨盤サポートバンド３を設定することができる。
【００５５】
そして、使用者Ｂが両脚を筒状帯２へ入れ、さらにズボン本体穿き口１１へ入れて該ズボン本体１を穿くとともに該ズボン本体１より上側に出た身体部分を筒状帯２で囲繞することができる。このとき、使用者Ｂが、ズボン本体１をその穿き口１１が自身の骨盤の上端部対応部分又は該部分の直上部分に位置するように装着することで、前記ズボンＡの場合と同様に骨盤サポートバンド３を自身の骨盤周囲に簡易に囲繞装着できる。
【００５６】
このようにズボンＡ１によると、ズボン本体１を、その穿き口１１が使用者Ｂの骨盤上端部に対応する部位又は該部位の直上部位に位置するように穿くだけで、簡易に骨盤サポートバンド３を使用者Ｂの骨盤周囲に囲繞装着することができ、ズボン使用者の体格、体形等にそれほど影響されずに簡易に装着でき、それだけ使い易い。
【００５７】
また、骨盤サポートバンド３の装着は、従来の大がかりな構造の腰部サポータ等と比べると、外見上目立たないように、外見体裁よく装着使用でき、また、それほど動きづらさを招くことなく装着使用できる。
【００５８】
さらに、骨盤サポートバンド３は環状のものではあるが、上端部３１から自由下端部３２へ向け延びるバンド左右分割部分３６を含んでおり、バンド左右分割部分３６にはフック支持部３３及び複数のリング支持部３４１、３４２、３４３を含む連結具が設けてあり、該フック支持部３３のフックｆをリング支持部３４１、３４２、３４３のいずれかのリングｒに係合させることで、そのリング支持部の位置に応じた周長の環状骨盤サポートバンド３を得ることができる。
【００５９】
従って、骨盤サポートバンド３の左右分割部分３６に設けられた前記の連結具により該バンド３の周長を調整して、使用者骨盤の締め付け力を調整したり、使用者の体格にあわせた周長の骨盤サポートバンド３を設定したりすることができ、そのように周長が調節された状態でズボン本体１の穿き装着により該骨盤サポートバンド３を使用者の骨盤周囲に所望の状態で囲繞装着することができる。
【００６０】
このように骨盤サポートバンド付きズボンＡ１は、骨盤サポートバンド３による骨盤締め付け力を調整したり、使用者の体格に応じた骨盤サポートバンド周長を得たりすることができ、それにより、一層便利で使い易いものとなっている。
【００６１】
次に本発明に係る骨盤サポートバンド付きズボンのさらに他の例Ａ２、Ａ３について図１０、図１１を参照して説明する。図１０は骨盤サポートバンド付きズボンＡ２を使用状態で示す正面図であり、図１１は骨盤サポートバンド付きズボンＡ３を使用状態で示す正面図である。
【００６２】
図１０のズボンＡ２は、図１等に示すズボンＡにおいて、ズボン本体１に代えてズボン本体１’を採用するとともに筒状帯２は省略し、さらに、骨盤サポートバンド３’の上端部３１’をズボン本体１’の穿き口１１’よりやや下がった位置でズボン本体内周部に逢着したものである。図１０においてズボンＡと同じ部分、部品等にはズボンＡと同じ参照符号を付してある。
【００６３】
このズボンＡ２も、使用者Ｂがズボン本体１’を正規に穿き装着することで、骨盤サポートバンド３’の上端部３１’を使用者自身の骨盤の上端部対応部分又は該部分の直上部分に位置させて、該骨盤サポートバンド３’を自身の骨盤周囲に簡易に囲繞装着できる。  
【００６４】
図１１のズボンＡ３は、図４等に示すズボンＡ１において、ズボン本体１に代えてズボン本体１’を採用するとともに筒状帯２は省略し、さらに、骨盤サポートバンド３の上端部３１をズボン本体１’の穿き口１１’よりやや下がった位置でズボン本体内周部に逢着したものである。図１１においてズボンＡ１と同じ部分、部品等にはズボンＡ１と同じ参照符号を付してある。
【００６５】
このズボンＡ３も、使用者Ｂがズボン本体１’を正規に穿き装着することで、骨盤サポートバンド３の上端部３１を使用者自身の骨盤の上端部対応部分又は該部分の直上部分に位置させて、該骨盤サポートバンド３を自身の骨盤周囲に簡易に囲繞装着できる。
【００６６】
以上説明したズボンＡ、Ａ１、Ａ２、Ａ３のいずれにおいても、骨盤サポートバンドには多数の通気孔３０’、３０を形成してあるから、発汗時等のムレを抑制することができる。
また、骨盤サポートバンド付きズボンＡ、Ａ１、Ａ２、Ａ３は洗濯して再使用することも可能である。
【００６７】
以上説明した骨盤サポートバンド付きズボンは、所謂腰痛持ちの人の腰痛抑制、或いは腰痛持ちであった人の腰痛再発の抑制、各種運動や作業（例えば人の介護）等を行う人の腰痛発生の抑制等に利用することができる。
【００６８】
なお、以上説明したズボンＡ１、Ａ３では、連結具としてフック支持部３３とリング支持部３４１、３４２、３４３とを含むものを用いたが、連結具は、所謂面状ファスナを利用したもの、紐を利用したもの、スライドラァスナを利用したもの等各種のものを採用できる。
【産業上の利用可能性】
【００６９】
本発明は、骨盤サポートバンドを簡易に装着できる骨盤サポートバンド付きズボンの提供に利用できる。
【図面の簡単な説明】
【００７０】
【図１】本発明に係る骨盤サポートバンド付きズボンの１例の外観正面図である。
【図２】図１のズボンを裏返した状態のズボン正面側の図である。
【図３】図１のズボンの使用状態を示す図である。
【図４】本発明に係る骨盤サポートバンド付きズボンの他の例の外観正面図である。
【図５】図４に示すズボンを裏返した状態のズボン正面側の図である。
【図６】図４に示すズボンの上部を拡大して、且つ、ズボン本体の前側部分を一部切欠して示す図である。
【図７】図４に示すズボンの上部を拡大して、且つ、ズボン本体の前側部分を一部切欠して、さらにバンド左右分割部分における左側部分の端部を捲って示す図である。
【図８】ズボン本体の前側及び後ろ側（臀部側）、骨盤サポートバンド、それに設けられたフック支持部及びリング支持部、さらにフック、リング等の相互の位置関係を概略的に示す図である。
【図９】図４に示すズボンの使用状態を示す図である。
【図１０】本発明に係る骨盤サポートバンド付きズボンのさらに他の例を使用状態で示す正面図である。
【図１１】本発明に係る骨盤サポートバンド付きズボンのさらに他の例を使用状態で示す正面図である。
【符号の説明】
【００７１】
Ａ、Ａ１、Ａ２、Ａ３  骨盤サポートバンド付きズボン
１、１’  ズボン本体
１１、１１’  ズボン本体の穿き口
２  筒状帯
３、３’  骨盤サポートバンド
３０、３０’  骨盤サポートバンドの通気孔
３１’  バンド３’の上端部
３２’  バンド３’の下端部
３１  バンド３の上端部
３２  バンド３の下端部
３３  フック支持部
ｆ  フック
３４１、３４２、３４３  リング支持部
ｒ  リング
３５、３５’  紐
３６  バンド左右分割部分
３６１  部分３６の左側部分
３６２  部分３６の右側部分
Ｂ  ズボン装着者
【図１】
2008223158.tif 000003
【図２】
2008223158.tif 000004
【図３】
2008223158.tif 000005
【図４】
2008223158.tif 000006
【図５】
2008223158.tif 000007
【図６】
2008223158.tif 000008
【図７】
2008223158.tif 000009
【図８】
2008223158.tif 000010
【図９】
2008223158.tif 000011
【図１０】
2008223158.tif 000012
【図１１】
2008223158.tif 000013